(57)【要約】【課題】蓄電池に設けられた信号線及び信号線のコネクタの破損を防ぐ。【解決手段】電池パック１００は、電池セル１０２、収容体１０４、電力線１０６、信号線１０８、第１コネクタ１１０、第２コネクタ１１２、及びコネクタ収容部１１４を有する。電池セル１０２は、収容体１０４に収容される。電力線１０６は、一端が収容体１０４の外部に引き出されており、なおかつ電池セル１０２から出力される電流又は電池セル１０２に入力される電流が流れる。信号線１０８は、一端が収容体１０４の外部に引き出されており、なおかつ電池パック１００の状態を示す信号が流れる。第２コネクタ１１２は、電力線１０６の上記一端に設けられる。コネクタ収容部１１４は、信号線１０８の上記一端に設けられる。コネクタ収容部１１４は、収容体１０４の外面に設けられ、第２コネクタ１１２の少なくとも一部が収容される。【選択図】図１
2019102222.tif 000002
【特許請求の範囲】
【請求項１】
電池パックであって、
電池セルと、
前記電池セルが収容される収容体と、
一端が前記収容体の外部に引き出されており、なおかつ前記電池セルから出力される電流又は前記電池セルに入力される電流が流れる電力線と、
一端が前記収容体の外部に引き出されており、なおかつ前記電池パックの状態を示す信号が流れる信号線と、
前記電力線の前記一端に設けられた第１コネクタと、
前記信号線の前記一端に設けられた第２コネクタと、
前記収容体の外面に設けられ、前記第２コネクタの少なくとも一部が収容されるコネクタ収容部と、を有する電池パック。
【請求項２】
前記コネクタ収容部は凹部である、請求項１に記載の電池パック。
【請求項３】
前記コネクタ収容部の深さは前記第２コネクタの高さよりも高い、請求項２に記載の電池パック。
【請求項４】
前記コネクタ収容部は、平面視において前記電池セルの電池本体と重ならない位置に設けられている、請求項２又は３に記載の電池パック。
【請求項５】
前記コネクタ収容部は、平面視において前記電池セルの電極と重なる位置に設けられている、請求項２乃至４いずれか一項に記載の電池パック。
【請求項６】
前記第２コネクタは、前記電池セルを充電する充電装置に接続され、なおかつ前記電池セルから電力が供給される電気機器には接続されない、請求項１乃至４いずれか一項に記載の電池パック。
【請求項７】
前記信号線は前記収容体の第１面から引き出されており、
前記コネクタ収容部は、前記第１面と略直交する前記収容体の第２面に設けられている、請求項１乃至６いずれか一項に記載の電池パック。
【請求項８】
前記第１面と前記コネクタ収容部との間の距離は、前記第１面と対向する前記収容体の第３面と前記コネクタ収容部との間の距離よりも短い、請求項７に記載の電池パック。
【請求項９】
前記第２面は当該収容体の上面であり、
前記コネクタ収容部の底面の一辺は前記第１面上にあり、
前記コネクタ収容部の底面は前記一辺に向かって下がる傾斜を有する、請求項７又は８に記載の電池パック。
【請求項１０】
請求項１乃至９いずれか一項の電池パックが有する収容体。
【発明の詳細な説明】
【技術分野】
【０００１】
本発明は蓄電池に関する。
【背景技術】
【０００２】
様々な電気機器に電力を供給するために蓄電池が利用されている。一部の蓄電池では、筐体の内部に電池セルが収容されており、この電池セルから電力を外部へ供給するための電力線が筐体の外部へ引き出されている。電力線の先端にはコネクタが設けられている。また、この電力線及びコネクタは、蓄電池を充電するため（蓄電池へ電力を供給するため）にも利用されうる。
【０００３】
蓄電池を充電装置や電気機器へ接続しない時には、電力線のコネクタを何らかの形で固定することが好ましい。電力線のコネクタが遊動可能になっていると、コネクタや電力線自体に破損が生じる恐れがあるためである。
【０００４】
これに対して特許文献１では、蓄電池を有する車両にボビンを設け、このボビンに、蓄電池から引き出された充電ケーブル（電力線）を巻き付けて収容することが記載されている。
【０００５】
また、特許文献２は、二次電池の充電器を開示している。この充電器が有するコード
電力線）は、先端にUSB（Universal Serial Bus）コネクタを有している。USBコネクタを外部電源に接続すると、二次電池に電力が供給される。そして、充電器には、USBコネクタとコードを収納するための収納部が設けられている。
【先行技術文献】
【特許文献】
【０００６】
【特許文献１】特開２０１１−１３０５２６号公報
【特許文献２】特開２００８−０６７４３５号公報
【発明の概要】
【発明が解決しようとする課題】
【０００７】
蓄電池を充電する充電装置は一般的に、蓄電池の状態（例えば蓄電池の温度、各電池セルの電圧等）を示す信号を蓄電池から受信し、受信した信号を充電の制御に利用する。この信号を受信するための信号線は、例えば電力線と同様に、一端が電池セルと電気的に接続され、他端が筐体の外部に引き出される。
【０００８】
蓄電池に電気的に接続される機器によっては、蓄電池から放電する際に電力線だけを接続し、信号線を利用しない場合も有る。そのため、電気機器へ電力が供給されている間は信号線及び信号線に設けられたコネクタは遊動可能な状態になる。この場合、コネクタや信号線に破損が生じる恐れがある。
【０００９】
本発明は上述の課題に鑑みてなされたものであり、蓄電池に設けられた信号線及び信号線のコネクタの破損を防ぐことをその目的の一つとする。
【課題を解決するための手段】
【００１０】
本発明の電池パックは、１）電池セルと、２）前記電池セルが収容される収容体と、３）一端が前記収容体の外部に引き出されており、なおかつ前記電池セルから出力される電流又は前記電池セルに入力される電流が流れる電力線と、４）一端が前記収容体の外部に引き出されており、なおかつ前記電池パックの状態を示す信号が流れる信号線と、５）前記電力線の前記一端に設けられた第１コネクタと、６）前記信号線の前記一端に設けられた第２コネクタと、７）前記収容体の外面に設けられ、前記第２コネクタの少なくとも一部が収容されるコネクタ収容部と、を有する。
【００１１】
本発明の収容体は、本発明の電池パックが有する収容体である。
【発明の効果】
【００１２】
本発明によれば、蓄電池に設けられた信号線やその信号線に設けられた部品の破損を防ぐ技術が提供される。
【図面の簡単な説明】
【００１３】
【図１】実施形態１に係る電池パックの一例を示す斜視図である。
【図２】第２コネクタがコネクタ収容部に収容された状態を例示する図である。
【図３】図２のＡＢ断面図である。
【図４】底面に傾斜を有するコネクタ収容部を例示する図である。
【図５】ラミネート型の電池セルを例示する図である。
【図６】ＸＹ平面視において電池本体と重ならない部分にコネクタ収容部が設けられた電池パックを例示する図である。
【発明を実施するための形態】
【００１４】
以下、本発明の実施の形態について、図面を用いて説明する。尚、すべての図面において、同様な構成要素には同様の符号を付し、適宜説明を省略する。また、特に説明する場合を除き、ブロック図における各ブロックは、ハードウエア単位の構成ではなく、機能単位の構成を表している。
【００１５】
図１は、実施形態１に係る電池パック１００の一例を示す斜視図である。電池パック１００は、電池セル１０２、収容体１０４、電力線１０６、信号線１０８、第１コネクタ１１０、第２コネクタ１１２、及びコネクタ収容部１１４を有する。
【００１６】
電池セル１０２は、リチウムイオン電池などの２次電池のセルである。なお、収容体１０４には、１つの電池セル１０２が収容されてもよいし、複数の電池セル１０２から成る組電池が収容されてもよい。
【００１７】
収容体１０４は、電池セル１０２を収容する。なお、収容体１０４は、ケースや筐体などとも呼ばれ、例えば硬質の樹脂や金属を用いて形成されている。図１において、収容体１０４は、直方体の各辺及び頂点を面取りした形状をしている。しかしながら、収容体１０４の形状は、図１に示される形状に限定されない。例えば収容体１０４は、少なくとも一つの辺若しくは頂点が面取りされていない直方体、直方体以外の種々の多面体、多面体の各辺若しくは頂点を面取りしたものなどであってもよい。なお、収容体１０４の各面は平面である必要は無く、曲面であってもよい。
【００１８】
例えば収容体１０４は、２つ以上の部分に分解可能に構成される。例えば収容体１０４は、上下に分解可能な構造をしている。この場合、上下に分解された状態の収容体１０４に電池セル１０２を単数または複数収容し、その後に収容体１０４の上部分と下部分とを組み合わせる（例えば嵌め合わせる）ことで、電池パック１００が形成される。
【００１９】
ただし収容体１０４は、分解できないか、又は分解が困難なように構成されていてもよい。この場合、例えば収容体１０４は、電池パック１００の製造段階においては上部分と下部分の２つの部分に分かれている。そして、電池セル１０２が収容された後、収容体１０４の上部分と下部分とが勘合、接着、又は溶接等の方法で接合される。
【００２０】
電力線１０６は電池セル１０２と外部の装置の間で電力をやり取りするための線である。電力線１０６の一端（以下、第１端）は収容体１０４の外部に引き出されている。電力線１０６の第１端には、第１コネクタ１１０が設けられている。電力線１０６の他端（以下、第２端）は、直接的又は間接的に、電池セル１０２の電極に接続されている（図示せず）。電力線１０６の第２端が間接的に電池セル１０２の電極に接続される場合、例えば電力線１０６の第２端は、電池セル１０２の電極が接続されている保護回路基板に接続される。こうすることで、この保護回路基板を介し、電力線１０６の第２端と電池セル１０２との間で電流が流れる。
【００２１】
第１コネクタ１１０は、電池セル１０２の充電を行う充電装置に接続される（図示せず）。この場合、充電装置から出力される電流が、電力線１０６を通って、電池セル１０２に供給される。また、第１コネクタ１１０は、電池セル１０２を電源とする電気機器に接続される（図示せず）。この場合、電池セル１０２から出力される電流は、電力線１０６を通って、この電気機器へ提供される。この電気機器は、電池から電力の供給を受けて駆動する任意の機器とすることができる。例えば、この電気機器は、電動機付きの自転車や、ドローンなどの飛行物体である。
【００２２】
信号線１０８は、電池パック１００の状態を示す信号を充電装置へ出力するための線である。信号線１０８の一端（以下、第１端）は、収容体１０４の外部に引き出されている。信号線１０８の他端（以下、第２端）は、収容体１０４の内部に設けられた電気部品に接続されている（図示せず）。
【００２３】
上記電気部品には、様々なものを採用できる。例えばこの電気部品は、電池パック１００の状態を検出するためのセンサ（例えば温度センサ、加速度センサ、など）である。この場合、前述した充電装置は、信号線１０８を介して、このセンサの検出結果を表す信号を受信する。こうすることで、充電装置は、収容体１０４の内部の温度や電池セル１０２のセル電圧など、電池セル１０２の充電に利用する情報を得る。
【００２４】
その他にも例えば、上記電気部品は、電池パック１００の状態を管理する電子回路（例えば IC（Integrated Circuit））である。この場合、充電装置は、信号線１０８を介して、上記電子回路によって管理されている情報（例えば収容体１０４の内部の温度や電池セル１０２の電圧の時間変化の履歴など）を表す信号を受信する。
【００２５】
コネクタ収容部１１４は、収容体１０４の外面に設けられている。そして、コネクタ収容部１１４は、第２コネクタ１１２の少なくとも一部（例えば高さ方向の少なくとも一部や信号線１０８が延在する方向の少なくとも一部）を収容することにより、第２コネクタ１１２を収容体１０４の外面に固定する。図２は、第２コネクタ１１２がコネクタ収容部１１４に収容された状態を例示する図である。
【００２６】
なお、収容体１０４には、第１コネクタ１１０を収容する収容部が設けられてもよい。ただし、電力線１０６は電池セル１０２の充電時と放電時のいずれにおいても利用されるため、収容部が利用されるのは、負荷と接続していない未使用時など、利用頻度が小さいと考えられる。そのため、収容体１０４には、第１コネクタ１１０を収容する収容部を設けなくてもよい。ここで、収容体１０４に第１コネクタ１１０を収容する収容部を設けないことには、収容体１０４の歩留まりを向上させることができる、収容体１０４の製造コストを小さくすることができる、コネクタ収容部１１４のレイアウトの自由度が高くなるなどの利点がある。なお、電力線１０６と比較して信号線１０８の太さは細くすることができるため、第２コネクタ１１２の大きさは第１コネクタ１１０よりも小さくすることができる。よって、コネクタ収容部１１４を設けることが収容体１０４の歩留まりや収容体１０４の製造コストなどに与える影響は、第１コネクタ１１０の収容部がそれらに与える影響よりも小さいといえる。
【００２７】
なお、図１において、収容体１０４には１つの開口部が設けられている。この開口部は、開口部が設けられている収容体１０４の面の厚さ方向（図１におけるＸ方向）に収容体１０４を貫通している。そして、電力線１０６と信号線１０８の双方が、この開口部から引き出されている。しかし、電力線１０６が引き出される開口部と、信号線１０８が引き出される開口部は、互いに異なるものであってもよい。この場合、これら互いに異なる開口部は、収容体１０４の同一の面に設けられていてもよいし、互いに異なる面に設けられていてもよい。
【００２８】
＜作用・効果＞
電池セル１０２の充電が行われる間、信号線１０８の第２コネクタ１１２は、充電装置などに接続される。一方で、電池セル１０２から出力される電力を外部の電気機器（前述した電動機付き自転車やドローンなど）に供給する間、信号線１０８の第２コネクタ１１２は、その電気機器に接続される必要がない。後者の場合、例えば電池パック１００は前述した電気機器の周辺又は内部に設置されており、コネクタ収容部１１４に第２コネクタ１１２の少なくとも一部が収容されていない状態においては、信号線１０８がこれらの電気機器の周辺や内部で遊動可能な状態となる。信号線１０８が遊動可能な状態になっていると、例えば信号線１０８が断線したり、第２コネクタ１１２が破損したりするといった不都合な事態が生じうる。
【００２９】
そこで本実施形態の電池パック１００では、収容体１０４の外面にコネクタ収容部１１４を設けることで、第２コネクタ１１２の少なくとも一部をこのコネクタ収容部１１４に収容できるようにしている。こうすることで、前述した、第２コネクタ１１２及び信号線１０８が遊動することによって生じる不都合な事態の発生を防ぐことができる。すなわち、信号線１０８が断線したり、第２コネクタ１１２が破損したりする蓋然性を低くすることができる。
【００３０】
以下、電池パック１００についてさらに詳細に説明する。
【００３１】
＜コネクタ収容部１１４の形状について＞
コネクタ収容部１１４は、第２コネクタ１１２の少なくとも一部を収容できる任意の形状とすることができる。例えばコネクタ収容部１１４は、収容体１０４の一部に設けられる凹部である。ここでいう凹部とは、図１のＸＺ平面視において（収容体１０４の厚み方向（Ｚ方向）において）、コネクタ収容部１１４の底面の少なくとも一部が、収容体１０４の上面の少なくとも一部よりも下に位置することを意味する。図３は、図２のＡＢ断面図である。図３において、コネクタ収容部１１４の底面１１６は、収容体１０４の上面（後述する第２面１２２）よりも下に位置している。なお、図３では、コネクタ収容部１１４の周辺のみを図示している。また、収容体１０４の内部（例えば電池セル１０２）や第２コネクタ１１２の内部などは省略されている。
【００３２】
例えばコネクタ収容部１１４は、収容体１０４の上面を収容体１０４の内側から見て内側に出っ張らせることで形成される（図３参照）。その他にも例えば、コネクタ収容部１１４は、ある程度厚みを厚くした収容体１０４の上面を切り欠くことで形成される。ただし、収容体１０４の製造コスト等の面からは、前者の方法でコネクタ収容部１１４を形成することが好適である。なお、コネクタ収容部１１４の形成方法は前述した方法に限定されない。
【００３３】
コネクタ収容部１１４が凹部として形成される場合、コネクタ収容部１１４の深さ（厚さ）は、コネクタ収容部１１４に収容した際の第２コネクタ１１２の高さよりも大きいことが好適である。例えば図３において、コネクタ収容部１１４の深さ d1 は、第２コネクタ１１２の高さ d2 よりも大きい。こうすることで、コネクタ収容部１１４に収容された第２コネクタ１１２が周辺の他の物体と接触して破損等する蓋然性を低くすることができる。
【００３４】
コネクタ収容部１１４は、第２コネクタ１１２の動きを制限するように構成される。例えばコネクタ収容部１１４は、第２コネクタ１１２又は信号線１０８を挟持する。その他にも例えば、コネクタ収容部１１４は、第２コネクタ１１２と互いに係合するように構成される。なお、収容されるコネクタの動きを制限するようにコネクタの収容部を形成する技術には、種々の技術を利用することができる。
【００３５】
なお、第２コネクタ１１２の形状は凹部に限定されない。例えばコネクタ収容部１１４は、収容体１０４の厚み方向（図１のＺ方向）において、収容体１０４の上面よりも凸となっている凸部であってもよい。例えばこの凸部は、第２コネクタ１１２の少なくとも一部を挟持等するように構成される。
【００３６】
＜コネクタ収容部１１４の位置について＞
コネクタ収容部１１４は、収容体１０４の外面の任意の位置に設けることができる。例えばコネクタ収容部１１４は、信号線１０８が引き出される収容体１０４の外面（以下、第１面）と略直交する、収容体１０４の他の外面（以下、第２面）に設けられることが好ましい。例えば図１において、コネクタ収容部１１４が引き出されている第１面１２０は、コネクタ収容部１１４が設けられている第２面１２２と略直交している。
【００３７】
この際、コネクタ収容部１１４は、第２面１２２のうち、第１面１２０に近い位置に設けられることが好ましい。例えば、第１面１２０とコネクタ収容部１１４との距離が、第１面１２０に対向する収容体１０４の外面とコネクタ収容部１１４との距離よりも短くなるようにする。その他にも例えば、コネクタ収容部１１４は、第２面１２２を収容体１０４の長手方向（図１のＸ方向）について複数等分したときに最も第１面１２０に近くなる領域に設けられる。
【００３８】
さらにコネクタ収容部１１４の底面１１６は、前述した第１面１２０と交わっていることが好ましい。この場合、底面１１６の一辺が第１面１２０上にあることとなる。例えば図１において、底面１１６は、境界辺１２４において第１面１２０と交わっている。言い換えれば、底面１１６の一辺である境界辺１２４が、第１面１２０上にある。
【００３９】
さらに底面１１６は、境界辺１２４に向かって下がる傾斜を有することが好ましい。図４は、底面１１６に傾斜を有するコネクタ収容部１１４を例示する図である。図４において、底面１１６は境界辺１２４に向かって下がっている。
【００４０】
なお、底面１１６によって形成される傾斜は、平面であってもよいし曲面であってもよい。また、底面１１６によって形成される傾斜の幅（傾斜方向に垂直な方向についての底面１１６の大きさ）は、傾斜方向に沿って一定であってもよいし、一定でなくてもよい。後者の場合、例えば底面１１６は、少なくともその一部が、その傾斜方向に向かってすぼまる略Ｖ字型の面として形成される。なお、略Ｖ字型の底面１１６は、底面１１６の傾斜方向について線対称である（略Ｖ字の頂点が中央にある）ことが好適である。
【００４１】
例えばコネクタ収容部１１４は、ＸＹ平面に垂直な方向から見た場合（以下、ＸＹ平面視と記載）において、第２コネクタ１１２及び信号線１０８の第１端と略相似な形状を有することが好適である。この場合、例えば信号線１０８の第１端と略相似な部分が、第１面１２０につながるように構成される。信号線１０８の第１端と略相似な部分は、例えば前述した、底面１１６が略Ｖ字型に構成されている部分である。すなわち、コネクタ収容部１１４の一部に信号線１０８が収容される場合において、コネクタ収容部１１４は、信号線１０８が収容される部分において第１面１２０と交わる。
【００４２】
上述した様に底面１１６に傾斜を設けると、コネクタ収容部１１４に雨などの液体が進入した場合、この液体は底面１１６の傾斜を流れて境界辺１２４から排出される。つまり、コネクタ収容部１１４の内部に液体が滞留しにくくなる。このようにコネクタ収容部１１４の内部に液体が滞留しにくくすることで、コネクタ収容部１１４の内部で第２コネクタ１１２が浸水してしまうことを防ぐことができる。
【００４３】
ここで、コネクタ収容部１１４を凹部として実現する場合、コネクタ収容部１１４を設けることによって収容体１０４の内部空間が狭くなる。そのため、収容体１０４の内部空間が狭くなることによる影響が少ないか又はその影響が無い位置にコネクタ収容部１１４を設けることが好適である。以下、このような構成の具体例を説明する。
【００４４】
電池セルは円筒状、角型、ラミネート型など多様であるが、外部と接続するための端子部分が存在するため、当該端子部分と収容体のあいだの空間の大きさは、電池本体と収容体のあいだの空間よりも大きくなる。図５は、ラミネート型の電池セル１０２を例示する図である。図５において、電池セル１０２は、封止材１３２によって電池本体１３０を封止した構造を有している。ここで電池本体とは、集電体に活物質が形成された正極シートと負極シートとが、セパレータを介して積層または巻回された部分のことを言い、活物質が形成されていない集電体の一部が正極シートや負極シートから引き出された集電タブの部分は含まない。
【００４５】
電池セル１０２の形状は、例えば扁平形状である。ここでいう扁平形状とは、上面や下面から平面視した電池セル１０２の面（ＸＹ平面に垂直な方向から見た場合（以下、ＸＹ平面視と記載）した電池セル１０２の面）の辺の長さが電池セル１０２の厚さ（Ｚ方向における電池本体１３０の大きさ）よりも大きいことを意味する。
【００４６】
なお、図５において電池本体１３０の形状は直方体で図示してあるが、電池本体１３０の形状は直方体に限定されない。例えば電池本体１３０の上面や下面の形状は、任意の形状（例えば楕円形など）とすることができる。また、電池セル１０２の上面と下面の大きさは同一でなくてもよい。
【００４７】
封止材１３２は、電池本体１３０を封止する部材である。例えば封止材１３２は、アルミニウム製のラミネートフィルムである。この場合、電池本体１３０は、封止材１３２によって熱溶着等で封止されている。例えば電池本体１３０は、封止材１３２を構成する２枚のフィルムの間に封止されるか、１枚のフィルムを折り返してその間に封止されるかしている。ラミネートフィルムは、平面視で電池本体１３０の全周に渡って電池本体１３０よりも外側にはみ出すように電池本体よりも大きい外形となっており、ラミネートフィルムの外周端部に近い部分で熱溶着等を熱溶着等で封止している。以下このように、電池本体１３０よりも外側に大きい部分を、封止材１３２の周辺部（符号１３４）と呼ぶ。言い換えれば、周辺部１３４は、封止材１３２のうち、電池本体１３０の側面の周辺に位置する部分である。また、周辺部１３４は、封止材１３２を構成するフィルムが、電池本体１３０を介さずに対向している部分である。
【００４８】
電池セル１０２は引出電極（又は端子でもよい）１３６を有している。引出電極１３６は、電池本体１３０と接続されており、封止材１３２の外部に引き出されている。
【００４９】
図５において、ＸＹ平面視において電池本体１３０と重なる部分における電池セル１０２の厚さは、ＸＹ平面視において電池本体１３０と重ならない部分における電池セル１０２の厚さよりも厚い。そのため、電池セル１０２を収容体１０４に収容すると、ＸＹ平面視において電池本体１３０と重ならない部分の厚み方向（Ｚ方向）において、収容体１０４の内部空間に余裕がある。
【００５０】
そこで、このように余裕がある空間にコネクタ収容部１１４が設けられるようにすることが好ましい。言い換えれば、コネクタ収容部１１４は、ＸＹ平面視において電池本体１３０とは重ならない位置に設けられることが好ましい。例えばコネクタ収容部１１４は、ＸＹ平面視において引出電極１３６や周辺部１３４と重なる位置に設けられる。こうすることで、コネクタ収容部１１４を凹部として設けることによって収容体１０４の内部空間が狭まっても、その影響を小さくするか、又はその影響を無くすことができる。
【００５１】
図６は、ＸＹ平面視において電池本体１３０と重ならない部分にコネクタ収容部１１４が設けられた電池パック１００を例示する図である。図６（ａ）は、コネクタ収容部１１４を通るＸＺ平面において切断された電池パック１００を表している。図６（ｂ）は、図６（ａ）の電池パック１００をＸＺ平面視した様子を表している。
【００５２】
図６において、電池パック１００には、電池セル１０２を６つ積層した組電池が収容されている。コネクタ収容部１１４は、ＸＹ平面視において電池セル１０２の電極と重なる位置に設けられている。より具体的には、コネクタ収容部１１４は、最上部に位置する電池セル１０２の引出電極１３６の上部に設けられている。こうすることで、収容体１０４の内部空間のうち、空間に余裕がある場所にコネクタ収容部１１４を設けている。
【００５３】
以上、図面を参照して本発明の実施形態について述べたが、これらは本発明の例示であり、上記以外の様々な構成を採用することもできる。
【符号の説明】
【００５４】
１００  電池パック
１０２  電池セル
１０４  収容体
１０６  電力線
１０８  信号線
１１０  第１コネクタ
１１２  第２コネクタ
１１４  コネクタ収容部
１１６  底面
１２０  第１面
１２２  第２面
１２４  境界辺
１３０  電池本体
１３２  封止材
１３４  周辺部
１３６  引出電極
【図１】
2019102222.tif 000003
【図２】
2019102222.tif 000004
【図３】
2019102222.tif 000005
【図４】
2019102222.tif 000006
【図５】
2019102222.tif 000007
【図６】
2019102222.tif 000008